(57)【特許請求の範囲】
【請求項１】
基板と、皮革、織物、布の中の何れか一種から構成される柔軟層と、前記基板と前記柔軟層との間に形成され、且つ熱膨張係数が前記柔軟層と前記基板との間にある保護層と、を備え、
前記柔軟層は、前記保護層に接触する表面に微小な凹凸部が形成される接着面を含むことを特徴とするインサート成形品。
【請求項２】
前記保護層の熱膨張係数が前記柔軟層の熱膨張係数より大きく、前記基板の熱膨張係数より少し小さいか、前記柔軟層の熱膨張係数より小さく、前記基板の熱膨張係数より大きいことを特徴とする請求項１に記載のインサート成形品。
【請求項３】
前記基板が射出成形方法で射出して形成したものであることを特徴とする請求項１に記載のインサート成形品。
【請求項４】
前記基板の材料として、プラスチック、ゴム、シリコーンなどを採用することを特徴とする請求項１に記載のインサート成形品。
【請求項５】
前記柔軟層の材料として、前記皮革と、織物及び布を、天然皮革、人工皮革、綿織物、繊維織物、プラスチック織物、ナイロン織物から選択することを特徴とする請求項１に記載のインサート成形品。
【請求項６】
前記柔軟層の材料として、前記皮革と、織物及び布を、好ましくは、人工皮革、綿織物又はナイロン織物から選択することを特徴とする請求項５に記載のインサート成形品。
【請求項７】
熱圧又は印刷方式で前記柔軟層の接着面に前記保護層を形成する場合、前記接着面に微小な凹凸部が多く形成されているので、前記保護層と接着面との間の接続面積が増加し、両者が緊密に接着することを特徴とする請求項１に記載のインサート成形品。
【発明の詳細な説明】
【技術分野】
【０００１】
本発明は、成形品に関し、特に表面に皮革、織物又は布が形成されている成形品に関するものである。
【背景技術】
【０００２】
技術の発展に伴って、携帯電話、ノートパソコン、携帯情報端末（Ｐｅｒｓｏｎａｌ  Ｄｉｇｉｔａｌ  Ａｓｓｉｓｔａｎｔ、ＰＤＡと略称）などの電子装置が広く使用されている。使用者は、前記電気装置の各種の機能に対する要求ばかりでなく、電子装置の外観と手触りに対しても新しい要求がある。
【０００３】
前記電子装置の外部には、電子装置の各種の部品を保護するハウジングが設置されている。前記ハウジングは、通常プラスチックを材料とし、射出成形方法で製造したものである。射出成形方法で製造した成形品は、重さが軽く、製造コストが安く、製造方法が簡単である利点があるので、各種の領域に広く使用されている。
【０００４】
前記ハウジングの手触りを向上させる一方、外観を美しくするために、通常前記成形品の表面に皮革、織物などの柔軟層を形成する。前記ハウジングの表面に皮革又は織物などを形成する場合、まず皮革又は織物を所定の形状及びサイズに切った後、その皮革又は織物を金型の内部に設置する。次に、金型の内部に前記ハウジングを形成する溶融の材料を注入して、ハウジング本体を形成する。次に、前記溶融の材料を固化させると、表面に皮革又は織物が一体に接着されたハウジングが形成される。
【０００５】
しかし、皮革、織物などの柔軟層の上に溶融の材料を注入した後、溶融の材料を固化させる場合、ハウジング本体が収縮することを避けることができない。従って、ハウジングの表面に形成される皮革又は織物にしわが容易に発生し、ハウジングの外観が悪くなる。
【発明の開示】
【発明が解決しようとする課題】
【０００６】
以上の問題点に鑑みて、本発明は、手触り及び外観を向上させることができる成形品を提供することを目的とする。
【課題を解決するための手段】
【０００７】
前記問題を解決するために、本発明は、基板と、皮革、織物、布の中の何れか一種から構成される柔軟層と、前記基板と前記柔軟層との間に形成され、且つ熱膨張係数が前記柔軟層と前記基板との間にある保護層と、を備える成形品を提供する。前記柔軟層は、前記保護層に接触する表面に微小な凹凸部が形成される接着面を含む。
【発明の効果】
【０００８】
前記成形品において、前記柔軟層と前記基板との間に前記保護層が形成され、且つその保護層の熱膨張係数が前記柔軟層と前記基板との間にあるので、前記柔軟層と前記基板の熱膨張係数が突然変化することを防ぐことができる。従って、前記基板を形成する場合、柔軟層と基板との間に応力が発生し、柔軟層にしわが発生することを防ぐことができる。且つ、前記基板の上に前記柔軟層が形成されているので、本発明の成形品の手触りを向上させることができる。
【発明を実施するための最良の形態】
【０００９】
以下、図面に基づいて、本発明の実施形態に係る成形品に対して詳細に説明する。
【００１０】
図１は、本発明の実施形態に係る成形品１０の断面図である。前記成形品１０は、柔軟層１２と、保護層１３と、基板１４と、を含む。
【００１１】
前記柔軟層１２は、皮革、織物、布の中の何れか一種から構成される。前記皮革と、織物及び布は、天然皮革、人工皮革、綿織物、繊維織物、プラスチック織物、ナイロン織物などから選択することができる。好ましくは、人工皮革、綿織物又はナイロン織物から構成される柔軟層１２を選択する。
【００１２】
前記柔軟層１２は、他の部品と接着する接着面１２２を含む。前記接着面１２２は、表面に微小な凹凸部が多く形成される粗い表面である。不同な材料で前記柔軟層１２を製造する場合、前記接着面１２２の微小な凹凸部が形成される方式が互いに異なる。例えば、綿織物などで前記柔軟層１２を製造する場合、微小な凹凸部が前記柔軟層１２を製造する際に直接前記接着面１２２に形成されるが、皮革などで前記柔軟層１２を製造する場合、皮革の表面に研磨などの工程を実施しなければ、微小な凹凸部を有する前記接着面１２２が形成されない。
【００１３】
前記保護層１３は、前記柔軟層１２の接着面１２２と、前記基板１４の上表面と、の間に形成されている。前記保護層１３を形成する場合、まず、熱圧又は印刷方式で前記柔軟層１２の接着面１２２にその保護層１３を形成する。前記接着面１２２に微小な凹凸部が多く形成されているので、保護層１３と接着面１２２との間の接続面積が増加し、両者が緊密に接着することができる。次に、前記柔軟層１２が形成されない前記保護層１３の表面に溶融材料を射出し、冷却して、前記基板１４を形成する。
【００１４】
前記保護層１３の熱膨張係数は、前記柔軟層１２と前記基板１４との間にある。即ち、保護層１３の熱膨張係数が前記柔軟層１２の熱膨張係数より少し大きく、前記基板１４の熱膨張係数より少し小さいか、前記柔軟層１２の熱膨張係数より少し小さく、前記基板１４の熱膨張係数より少し大きい。前記保護層１３が前記柔軟層１２と前記基板１４との間に形成されているので、熱膨張係数が突然変化することを防ぐことができる。従って、溶融材料を射出し、冷却して、前記基板１４を形成する場合、柔軟層１２と基板１４との間に応力が発生し、柔軟層１２にしわが発生することを防ぐことができる。
【００１５】
前記基板１４は、射出成形方法で射出して形成したものである。前記基板１４の材料として、プラスチック、ゴム、シリコーンなどを採用することができる。前記プラスチック材料として、ポリ塩化ビニル樹脂（Ｐｏｌｙｖｉｎｙｌ  Ｃｈｌｏｒｉｄｅ、ＰＶＣ）、ポリエチレンテレフタレート（Ｐｏｌｙｅｔｈｙｌｅｎｅ  Ｔｅｒｅｐｈｔｈａｌａｔｅ  、ＰＥＴ）、アクリロニトリルブタジエンスチレン（Ａｃｒｙｌｏｎｉｔｏｒｉｌｅ  Ｂｕｔａｄｉｅｎｅ  Ｓｔｙｒｅｎｅ、ＡＢＳ）、ポリカーボネート（Ｐｏｌｙｃａｒｂｏｎａｔｅ、ＰＣ）、ポリイミド（Ｐｏｌｙｉｍｉｄｅ  、ＰＩ）、液晶高分子（Ｌｉｑｕｉｄ  Ｃｒｙｓｔａｌ  Ｐｏｌｙｍｅｒ  、ＬＣＰ）、ポリエーテルイミド（Ｐｏｌｙｅｔｈｅｒｉｍｉｄｅ、ＰＥＩ）、ポリフェニレンサルファイド（Ｐｏｌｙｐｈｅｎｙｌｅｎｅ  Ｓｕｌｆｉｄｅ、ＰＰＳ）、ポリスチレン（Ｐｏｌｙｓｔｙｒｅｎｅ、ＰＳ）、ポリプロピレン（Ｐ  ｏｌｙｐｒｏｐｙｌｅｎｅ、ＰＰ）等を単独或いは混合して用いることができる。好ましくは、アクリロニトリルブタジエンスチレン（ＡＢＳ）又はポリカーボネート（ＰＣ）を前記基板１４を形成する材料とする。
【００１６】
前記成形品１０は、携帯電話、ノートパソコン、携帯情報端末（Ｐｅｒｓｏｎａｌ  Ｄｉｇｉｔａｌ  Ａｓｓｉｓｔａｎｔ、ＰＤＡと略称）などの電子装置に使用されるハウジング、又は、筆入れ、コップなどの各種の容器であることができる。
【００１７】
上述したように、前記柔軟層１２の接着面１２２と、前記基板１４の上表面と、の間に前記保護層１３が形成され、且つその保護層１３の熱膨張係数が前記柔軟層１２と前記基板１４との間にあるので、前記柔軟層１２と前記基板１４の熱膨張係数が突然変化することを防ぐことができる。従って、溶融材料を射出し、冷却して、前記基板１４を形成する場合、柔軟層１２と基板１４との間に応力が発生し、柔軟層１２にしわが発生することを防ぐことができる。前記柔軟層１２にしわが発生しないので、本発明の成形品の外観が美しくなる。且つ、前記柔軟層１２が前記基板１４の上に形成されているので、本発明の成形品の手触りを向上させることができる。
【図面の簡単な説明】
【００１８】
【図１】本発明の実施形態に係る成形品の断面分離図である。
【符号の説明】
【００１９】
１０  成形品
１２  柔軟層
１２２  接着面
１３  保護層
１４  基板
【図１】
0005199034.tif 000002